(57)【特許請求の範囲】
【請求項１】
広域軟弱地盤の全域に、適宜間隔で平行に多数の仮設道路を築造した後、隣接の仮設道路間に跨がる砂散布機を仮設道路に沿って移動させながら仮設道路間の地盤上に一面に砂を散布する作業を、各仮設道路間で順次行って、全体の仮設道路間の地盤上に所定厚さの砂層を形成することを特徴とする広域軟弱地盤上砂層形成方法。
【請求項２】
散布された砂の重量で砂散布部の地盤土の横滑り現象が生じることがないように、砂の散布厚さを制御する請求項１記載の広域軟弱地盤上砂層形成方法。
【請求項３】
各仮設道路間の砂散布作業を複数回繰り返して所定厚さの砂層を形成する請求項１又は請求項２記載の広域軟弱地盤上砂層形成方法。
【請求項４】
桁部に支持された横長で砂落とし機構付きのベルトコンベヤ装置と桁部の両端部に旋回自在に取り付けられた走行部とを具備し、桁部の端部に砂供給用のホッパが設けられていることを特徴とする移動式砂散布機。
【発明の詳細な説明】
【０００１】
【発明の属する技術分野】
本発明は、広域の軟弱地盤上に所定厚さの砂層を形成する方法と該方法の実施用として好適な移動式の砂散布機に関するものである。
【０００２】
【従来の技術】
埋め立て地のような軟弱地盤の地盤改良を行う場合、改良区域内に地盤改良施工機を搬入して作業を行うことを可能にするために、予め、地盤上に所定厚さの砂層（この砂層は後で排水層として利用される）を形成することが行われており、従来はその施工を例えば、仮設道路上に配置したバックホーで砂を仮設道路際の地盤上に山積み状態で分配し、これをブルドーザーで地盤一面に敷き均す、という態様で行っているが、このような施工態様では、軟弱地盤が広域に亙る場合に、その上に、能率良く、均一に砂を散布して、所定厚さの砂層を形成することはなかなか難しい。
【０００３】
【発明が解決しようとする課題】
本発明が解決しようとする課題（本発明の目的）は、広域の軟弱地盤上に、比較的能率良く、しかも、均一に、所定厚さの砂層を形成することができる広域軟弱地盤上砂層形成方法と、該方法の実施用として好適な移動式砂散布機を提供することにある。
【０００４】
【課題を解決するための手段】
前記課題を解決するために、本発明の広域軟弱地盤上砂層形成方法（以下、本発明の方法という）では、広域軟弱地盤の全域に、適宜間隔で平行に多数の仮設道路を築造した後、隣接の仮設道路間に跨がる砂散布機を仮設道路に沿って移動させながら（この移動は連続的と間欠的の両方を含む）仮設道路間の地盤上に一面に砂を散布する作業を、各仮設道路間で順次行って、全体の仮設道路間の地盤上に所定厚さの砂層を形成するようにしている。
【０００５】
本発明の方法を実施する場合、散布された砂の重量で砂散布部の地盤土の横滑り現象が生じないように砂の散布厚さを制御するのが好ましい。
【０００６】
そして、本発明の方法は、各仮設道路間の砂散布作業を複数回繰り返して所定厚さの砂層を形成する場合を包含する。
【０００７】
次に、本発明の移動式砂散布機（以下、本発明の砂散布機という）は、桁部に支持された横長で砂落とし機構付きのベルトコンベヤ装置と桁部の両端部に旋回自在に取り付けられた走行部とを具備し、桁部の端部に砂供給用のホッパを設けている。
【０００８】
なお、本発明でいう砂には砂以外に、例えば砂利、砕石、鉱滓等の砂類似の粒状物を含む。
【０００９】
【発明の実施の形態】
図１において、１は仮設道路であり、図示の仮設道路１は、地盤土を固化処理して形成された基礎部２の上にシートネット（図示しない）を敷設し、その上に所定厚さの砂層３と盛り土層４を設けて築造されているが、仮設道路１の構成は図示のものに限定されない。
【００１０】
本発明の方法では、図示のような仮設道路１を、広域の軟弱地盤の全域に亙って、適宜間隔で平行に多数築造するが、通常、仮設道路１の間隔は中心間で数１０ｍ（例えば、５０ｍ）程度、仮設道路１の巾は数ｍ〜１０ｍ程度である。
【００１１】
例えば、地盤がヘドロ埋立地のような超軟弱地盤の場合は、各仮設道路１，１間の地盤面にシートネット（図示しない）を敷設するのが好ましいが、このシートネットの敷設は、仮設道路１の築造後に行ってもよいし、仮設道路１の築造時にそのシートネットの敷設と一緒に行ってもよい。
【００１２】
５は砂散布機であり、砂散布機５は、移動式で、隣接の仮設道路１．１間に跨がる長さの桁部６に支持された横長で砂落とし機構７付きのベルトコンベヤ装置８と、桁部６の両端部に旋回自在に取り付けられた走行部９とを具備し、桁部６の端部（図示の場合は両端部）に砂供給用のホッパ１０が設けられている。
【００１３】
なお、図示のベルトコンベヤ装置８の砂落とし機構７は、トリッパー方式であるが、スクレーパー方式等であってもよい。
【００１４】
走行部９が載る仮設道路１の表面には、通常、鉄板を敷設するが、走行部９の走行車輪（クローラを含む）を直接、鉄板上を走行させるか、鉄板上に設置した適宜のレール上を走行させるか、その何れでもよく、また、走行方式も自走と牽引の何れでもよい。
【００１５】
本発明の方法では、前述のような砂散布機５を仮設道路１の長手方向の一端側から他端側に向かって移動させながら、ベルトコンベヤ装置８で仮設道路１，１間（以下、この部分をレーンという）の帯状の地盤上に一面に砂を散布し、この砂散布作業を各レーンで順次行って、全体のレーンの地盤上に所定厚さの砂層を形成する。
【００１６】
この際、散布された砂の重量で砂散布部の地盤土が側方に滑って側方地盤に盛り上がり現象が生じないように、散布厚さを制御すること（すなわち、砂散布部と砂未散布部との間および砂散布部相互間の厚さの段差が一定値以内になるようにして砂の散布を行うこと）が好ましく、したがって、本発明の方法では、所定厚さの砂層を形成するために１つのレーンで砂の散布を複数回繰り返す場合が多い。
【００１７】
前述のようにして砂の散布を行う一態様を図２に基づいて説明すると、この場合は、所定の厚さの砂層を形成するために各レーンで２回の砂散布を行うようにしている。
【００１８】
図示の場合、砂散布作業は、砂散布機５を、その一方の端部ａを地点Ａに、他方の端部ｂを地点Ｃにそれぞれ位置させてセットすることで始まり、このようにセットした砂散布機５を図の上方に移動させながら、先ず、第１レーン▲１▼に厚さｄの砂を散布する。
【００１９】
次に、砂散布機５を、地点Ｄを基準点にして右方に１８０°旋回して、その端部ａを地点Ｆに設置し、下方に移動させながら、第２レーン▲２▼に厚さｄの砂散布を行う。
【００２０】
次に、砂散布機５を、地点Ｅを基準点にして右方に１８０°旋回して、その端部ｂを地点Ｇに設置し、上方に移動させながら、第３レーン▲３▼に厚さｄの砂散布を行う。
【００２１】
次に、砂散布機５を、地点Ｆを基準点にして左方に１８０°旋回して、その端部ｂを地点Ｄに設置し、下方に移動させながら、第２レーン▲２▼に厚さｄ’の砂散布（第２回目）を行い、第２レーン▲２▼に所定厚さの砂層を形成する。
【００２２】
次に、砂散布機５を、地点Ｅを基準点にして右方に１８０°旋回して、その端部ｂを地点Ｇに仮置きしてから、さらに、地点Ｇを基準点として右方に１８０°旋回して、その端部ａを地点Ｉに設置し、上方に移動させながら、第４レーン▲４▼に厚さｄの砂を散布する。
【００２３】
次に、砂散布機５を、地点Ｈを基準点にして左方に１８０°旋回して、その端部ａを地点Ｆに設置し、下方に移動させながら、第３レーン▲３▼に厚さｄ’の砂散布（第２回目）を行い、第３レーン▲２▼に所定厚さの砂層を形成する。
【００２４】
以後、前述の尺取虫方式の施工を繰り返し、最後に第１レーン▲１▼と最終レーンに所定厚さにする追加の砂散布を行う。
【００２５】
なお、前述の厚さｄ，ｄ’の砂散布は、砂散布機５の移動速度（走行速度）とベルトコンベヤ装置８の砂送り速度を適宜制御して行い、また、ホッパ１０への砂供給は仮設道路１上に設置した適宜の設備（例えば、伸縮式のベルトコンベヤ装置）で行う。
【図面の簡単な説明】
【図１】仮設道路の設置態様と砂散布機の各一例を示す断面図である。
【図２】砂散布作業の一態様を説明するための平面図である。
【符号の説明】
１：仮設道路、２：基礎部、３：砂層、４：盛り土層、５：砂散布機、６：桁部、７：砂落とし機構、８：ベルトコンベヤ装置、９：走行部、１０：ホッパ、ａ：端部、ｂ：端部、ｄ：砂散布厚さ、Ａ〜Ｊ：地点、▲１▼：第１レーン、▲２▼：第２レーン、▲３▼：第３レーン、▲４▼：第４レーン。
【図１】
0003577581.tif 000002
【図２】
0003577581.tif 000003